(57)【要約】【課題】端子台へワニスが浸入してしまうのを確実に防止することが可能なモータを提供することを目的とする。【解決手段】モータ１００は、巻線の口出し線１５が接続される端子台１００を備える。端子台１００は、底壁１０２と、互いに対向する複数の側壁１０３と、隣り合う側壁１０３の間に設けられた端子部１１０と、端子部１１０よりも巻線に近い位置に配置され、底壁１０２および側壁１０３に隙間なく一体に形成される堰壁１０５とを有する。堰壁１０５は、口出し線１５を保持するための口出し線保持部を有する。【選択図】図２
2015033169.tif 000002
【特許請求の範囲】
【請求項１】
固定子に巻回され、ワニスが含浸される巻線と、
前記巻線の口出し線が接続される端子台と、を備え、
前記端子台は、
底壁と、
前記底壁から延長され、互いに対向する第１側壁および第２側壁と、
前記第１側壁と前記第２側壁との間に設けられ、前記口出し線の先端が接続される端子部と、
前記端子部よりも前記巻線に近い位置に配置され、前記底壁、前記第１側壁、および前記第２側壁に隙間なく一体に形成される堰壁と、を有し、
前記堰壁は、前記口出し線を保持するための口出し線保持部を含む、モータ。
【請求項２】
前記端子台は、前記口出し線の延在方向に互いに離隔して配列する複数の前記堰壁を有する、請求項１に記載のモータ。
【請求項３】
前記底壁は、前記固定子よりも前記巻線のコイル端に近い位置に固定される、請求項１または２に記載のモータ。
【請求項４】
前記口出し線保持部は、前記口出し線の外周面の少なくとも一部に相当する形状の壁面を有し、該壁面は、前記口出し線の外周面と接触する、請求項１〜３のいずれか１項に記載のモータ。
【請求項５】
前記口出し線保持部の前記壁面の少なくとも一部に、凹部または凸部が形成される、請求項４に記載のモータ。
【請求項６】
前記堰壁の、前記端子部とは反対側の端面の少なくとも一部には、凹部または凸部が形成される、請求項１〜５のいずれか１項に記載のモータ。
【請求項７】
前記堰壁は、ワニスを吸収可能な多孔性材料を少なくとも表面に含む、請求項１〜６のいずれか１項に記載のモータ。
【請求項８】
前記堰壁は、前記口出し線の延在方向に、該口出し線の直径の０．５倍以上の長さを有する、請求項１〜７のいずれか１項に記載のモータ。
【請求項９】
前記口出し線保持部は、前記堰壁の上端面から内方に凹むように形成され、前記口出し線の延在方向に延びる溝を含む、請求項１〜８のいずれか１項に記載のモータ。
【発明の詳細な説明】
【技術分野】
【０００１】
本発明は、巻線の口出し線が接続される端子台を備えたモータに関する。
【背景技術】
【０００２】
モータの固定子に巻回された巻線の絶縁性、耐熱性、および強度を向上させるために、巻線にワニスが含浸される。巻線にワニスを含浸させる作業は、一般的に、巻線のコイル端にワニスを滴下することによって行われる。この場合において、モータの端子台の内部に設置された端子部にワニスが入り込んでしまい、その結果、端子部へのケーブルの挿抜を阻害してしまう場合がある。このように、ワニスが端子台内部へ浸入するのを防止するために、ワニスを遮断するための部材を、端子台のハウジングに取り付ける構成が知られている（例えば、特許文献１または２）。
【先行技術文献】
【特許文献】
【０００３】
【特許文献１】特開２００５−６５４４０号公報
【特許文献２】特開２００６−６０５４号公報
【発明の概要】
【発明が解決しようとする課題】
【０００４】
従来のモータにおいては、ワニスの浸入を防止するための部材と、端子台のハウジングとの間に形成された僅かな隙間から、ワニスが浸入してしまう場合があった。そこで、本発明は、端子台へワニスが浸入してしまうのを確実に防止することが可能なモータを提供することを目的とする。
【課題を解決するための手段】
【０００５】
本発明に係るモータは、固定子に巻回され、ワニスが含浸される巻線と、巻線の口出し線が接続される端子台とを備える。端子台は、底壁と、底壁から延長され、互いに対向する第１側壁および第２側壁と、第１側壁と第２側壁との間に設けられ、口出し線の先端が接続される端子部と、端子部よりも巻線に近い位置に配置され、底壁、第１側壁、および第２側壁に隙間なく一体に形成される堰壁とを有する。堰壁は、口出し線を保持するための口出し線保持部を含む。
【０００６】
なお、端子台は、口出し線の延在方向に互いに離隔して配列する複数の堰壁を有してもよい。また、底壁は、前記固定子よりも前記巻線のコイル端に近い位置に固定されてもよい。また、口出し線保持部は、口出し線の外周面の少なくとも一部に相当する形状の壁面を有してもよく、該壁面は、口出し線の外周面と接触してもよい。また、口出し線保持部の壁面の少なくとも一部に、凹部または凸部が形成されてもよい。
【０００７】
また、堰壁の、端子部とは反対側の端面の少なくとも一部には、凹部または凸部が形成されてもよい。また、堰壁は、ワニスを吸収可能な多孔性材料を少なくとも表面に含んでもよい。また、堰壁は、口出し線の延在方向に、該口出し線の直径の０．５倍以上の長さを有してもよい。また、口出し線保持部は、堰壁の上端面から内方に凹むように形成され、口出し線の延在方向に延びる溝を含んでもよい。
【発明の効果】
【０００８】
本発明によれば、ワニスを巻線に含浸させた場合において、巻線のコイル端から端子台の内部に流入したワニスを、端子部に到達する前に、堰壁によって確実に堰き止めることができる。これにより、ワニスが端子部に入り込んでしまうのを防止することができるので、口出し線と外部ケーブルとを確実に導通させることができるとともに、ワニスによって外部ケーブルを端子部の螺子部に挿入する作業が阻害されてしまうのを防止することができる。
【図面の簡単な説明】
【０００９】
【図１】本発明の一実施形態に係るモータの断面図である。
【図２】図１に示す端子台の斜視図である。
【図３】堰壁の機能を説明するための図である。
【図４】本発明の他の実施形態に係る端子台の図であって、（ａ）は、図２に対応する斜視図を示し、（ｂ）は、（ａ）中の領域ｂを拡大した拡大図を示す。
【図５】本発明のさらに他の実施形態に係る端子台の図であって、（ａ）は、図２に対応する斜視図を示し、（ｂ）は、（ａ）中の領域ｂを拡大した拡大図を示す。
【図６】本発明のさらに他の実施形態に係る端子台の斜視図であって、図２に対応する図である。
【発明を実施するための形態】
【００１０】
以下、本発明の実施の形態を図面に基づいて詳細に説明する。まず、図１を参照して、本発明の一実施形態に係るモータ１０の構成について説明する。モータ１０は、内部空間Ｓを画定するハウジング１１と、ハウジング１１の内部空間Ｓに固定される固定子１２と、ハウジング１１に固定された端子台１００とを備える。固定子１２には巻線１３が巻回されている。
【００１１】
ハウジング１１には、端子台取付部１４が形成されている。端子台取付部１４は、ハウジング１１の内部空間Ｓと外部空間とを連通させる開口部であって、巻線１３のコイル端１３ｅに近接して形成されている。端子台１００は、端子台取付部１４を画定する壁面１４ａに固定されており、巻線１３のコイル端１３ｅの近傍に配置される。この端子台１００に、巻線１３から延出する円筒状の口出し線１５の先端が接続される。
【００１２】
次に、図２を参照して、本発明の一実施形態に係る端子台１００の構成について説明する。なお、以下の説明においては、図２中のｘｙｚ座標に示す方向を基準とし、ｘ軸の矢印の指す方向を前方、ｙ軸の矢印の指す方向を左方向、ｚ軸の矢印の指す方向を上方向とする。ここで、ｘ軸方向は、端子台１００に接続された口出し線１５の延在方向に相当する。
【００１３】
端子台１００は、ハウジング１０１と、ハウジング１０１に取り付けられた端子部１１０とを備える。ハウジング１０１は、底壁１０２と、底壁１０２から上方に立ち上がる側壁１０３とを備える。底壁１０２は、上面視四角形の平板状の部材である。底壁１０２は、図１に示すように、固定子１２よりも巻線１３のコイル端１３ｅに近い位置に固定される。より具体的には、底壁１０２は、底壁１０２の後方側の端部１０２ａが、巻線１３のコイル端１３ｅに対して径方向外側にて隣接するように、端子台取付部１４の壁面１４ａに固定される。
【００１４】
側壁１０３は、底壁１０２と直交するように底壁１０２から延長されている。側壁１０３は、第１側壁１０３１、第２側壁１０３２、第３側壁１０３３、および第４側壁１０３４を有する。第１側壁１０３１は、底壁１０２の左端縁から上方に立ち上がり、且つ底壁１０２の後端から前端まで延在している。
【００１５】
一方、第４側壁１０３４は、底壁１０２の右端縁から上方に立ち上がり、且つ底壁１０２の後端から前端まで延在している。第２側壁１０３２は、第１側壁１０３１から右方に離隔した位置に配置され、第１側壁１０３１と互いに対向するように、底壁１０２の後端から前端に亘って延在している。
【００１６】
また、第３側壁１０３３は、第２側壁１０３２と第４側壁１０３４との間の位置に配置され、第２側壁１０３１および第４側壁１０３４と対向するように、底壁１０２の後端から前端に亘って延在している。
【００１７】
ハウジング１０１は、その前方側の領域において、第１側壁１０３１と第４側壁１０３４との間で延在する端子保持壁１０４を備える。端子保持壁１０４は、第１側壁１０３１から右方向に延び、第２側壁１０３２および第３側壁１０３３と交差して、第４側壁１０３４に接続されている。また、端子保持壁１０４は、底壁１０２と側壁１０３に直交し、且つ、底壁１０２から側壁１０３の上端面まで延びている。
【００１８】
端子保持壁１０４は、第１側壁１０３１と第２側壁１０３２との間で延在する第１端子保持壁１０４１と、第２側壁１０３２と第３側壁１０３３との間で延在する第２端子保持壁１０４２と、第３側壁１０３３と第４側壁１０３４との間で延在する第３端子保持壁１０４３とを有する。第１端子保持壁１０４１、第２端子保持壁１０４２、および第３端子保持壁１０４３は、同じ形状を有する。
【００１９】
第１端子保持壁１０４１は、その上端面から下方に凹むように形成された凹部１０４１ａを含む。また、第１端子保持壁１０４１は、その後端面から前端面まで貫通する貫通孔（図示せず）を含む。この貫通孔は、第１端子保持壁１０４１の略中央に配置されている。
【００２０】
同様に、第２端子保持壁１０４２は、その上端面から下方に凹むように形成された凹部１０４２ａと、第２端子保持壁１０４２の後端面から前端面まで貫通する貫通孔（図示せず）を含む。同様に、第３端子保持壁１０４３は、その上端面から下方に凹むように形成された凹部１０４３ａと、第３端子保持壁１０４３の後端面から前端面まで貫通する貫通孔（図示せず）を含む。
【００２１】
ハウジング１０１は、その後方側の領域において、第１側壁１０３１と第４側壁１０３４との間で延在する堰壁１０５を備える。堰壁１０５は、端子保持壁１０４から後方側に離隔し、且つ、底壁１０２の後方側の端部１０２ａからやや前方側に離隔した位置に、配置されている。堰壁１０５は、底壁１０２と側壁１０３に直交し、底壁１０２から、側壁１０３の上端面よりも下側に位置する予め定められた高さまで延びている。この堰壁１０５は、底壁１０２、第１側壁１０３１、第２側壁１０３２、第３側壁１０３３、および第４側壁１０３４の各々に隙間なく一体に形成されている。
【００２２】
より具体的には、堰壁１０５は、第１側壁１０３１と第２側壁１０３２との間で延在する第１堰壁１０５１と、第２側壁１０３２と第３側壁１０３３との間で延在する第２堰壁１０５２と、第３側壁１０３３と第４側壁１０３４との間で延在する第３堰壁１０５３とを有する。なお、第１堰壁１０５１、第２堰壁１０５２、および第３堰壁１０５３は、同じ形状を有する。
【００２３】
第１堰壁１０５１は、その上端面１０５１ａから内方に凹むように形成された溝１０５１ｇを有する。溝１０５１ｇは、第１堰壁１０５１の後端面１０５１ｂから前端面１０５１ｃまでｘ軸に沿って延在している。この溝１０５１ｇは、円筒状の口出し線１５の外周面に相当する壁面を有している。
【００２４】
より具体的には、溝１０５１ｇの壁面は、口出し線１５の外周面の半径と同じ、またはやや小さい半径を有する円周面を含む。第１堰壁１０５１は、予め定められたｘ軸方向長さを有する。例えば、第１堰壁１０５１は、口出し線１５の直径の０．５倍以上のｘ軸方向長さを有する。
【００２５】
同様に、第２堰壁１０５２は、その上端面１０５２ａから内方に凹む溝１０５２ｇを有し、且つ、第３堰壁１０５３は、その上端面１０５３ａから内方に凹む溝１０５３ｇを有する。これら溝１０５２ｇおよび溝１０５３ｇの壁面も、口出し線１５の外周面の半径と同じ、またはやや小さい半径を有する円周面を含む。
【００２６】
端子部１１０は、第１端子部１１０１、第２端子部１１０２、および第３端子部１１０３を含む。第１端子部１１０１の中央部には、第１端子部１１０１の本体部から前方向に延出する螺子部（図示せず）が形成されている。第１端子部１１０１の螺子部が第１端子保持壁１０４１に設けられた貫通孔に挿通されるように、第１端子部１１０１は、第１端子保持壁１０４１の後端面に取り付けられる。このようにして、第１端子部１１０１は、第１側壁１０３１と第２側壁１０３２との間において、ハウジング１０１に取り付けられる。
【００２７】
同様に、第２端子部１１０２の中央部には、第２端子部１１０２の本体部から前方向に延出する螺子部１１０２ａが形成されている。この螺子部１１０２ａが第２端子保持壁１０４２に設けられた貫通孔に挿通されるように、第２端子部１１０２は、第２端子保持壁１０４２の後端面に取り付けられる。
【００２８】
同様に、第３端子部１１０３の中央部には、第３端子部１１０３の本体部から前方向に延出する螺子部１１０３ａが形成されている。この螺子部１１０３ａが第３端子保持壁１０４３に設けられた貫通孔に挿通されるように、第３端子部１１０３は、第３端子保持壁１０４３の後端面に取り付けられる。
【００２９】
本実施形態に係る端子台１００には、計３本の口出し線１５が接続される。口出し線１５の各々の先端には、留め具１６が取り付けられる。この留め具１６は、二又状の挟持部１６ａを含む金属製の部材であって、口出し線１５の導線と導通接触している。第１の口出し線１５は、第１端子保持壁１０４１に取り付けられた第１端子部１１０１に接続される。
【００３０】
具体的には、第１の口出し線１５の先端に設けられた留め具１６を、第１端子保持壁１０４１の上方から被せるようにして、第１端子保持壁１０４１に設けられた凹部１０４１ａ内に嵌め込む。このとき、留め具１６の挟持部１６ａが、第１端子保持壁１０４１を前後から挟み込み、第１端子保持壁１０４１に取り付けられた第１端子部１１０１と導通接触する。こうして、第１の口出し線１５が、第１端子部１１０１に電気的に接続される。
【００３１】
一方、第１端子部１１０１に形成された螺子部には、モータ１０を駆動するための電圧源等の外部機器に接続された外部ケーブルが、挿入される。こうして、第１の口出し線１５は、外部ケーブルに電気的に接続され、この外部ケーブルを介して、外部機器と電気的に接続される。
【００３２】
第１の口出し線１５は、その先端が第１端子部１１０１に接続されるとともに、先端からやや後方側の部分が、第１堰壁１０５１に設けられた溝１０５１ｇ内に嵌入されて保持される。このとき、溝１０５１ｇの壁面が、口出し線１５の外周面の下側の半周に亘って、該外周面と密に接触する。このように、溝１０５１ｇは、口出し線１５を保持するための口出し線保持部として機能する。図２に示すように、第１の口出し線１５は、ｘ軸に沿って延在するように、端子部１１０１に接続される。
【００３３】
同様に、第２の口出し線１５は、第２端子部１１０２に接続される。なお、図２においては、理解の容易の観点から、第２の口出し線１５を第２端子保持壁１０４２に取り付ける前の状態を示している。第２の口出し線１５の先端に設けられた留め具１６は、第２端子保持壁１０４２の凹部１０４２ａ内に嵌め込まれ、これにより、第２端子保持壁１０４２に取り付けられた第２端子部１１０２と導通接触する。こうして、第２の口出し線１５は、第２端子部１１０２に接続された外部ケーブルを介して、外部機器と電気的に接続される。
【００３４】
また、第２の口出し線１５も、その先端からやや後方側の部分が、第２堰壁１０５２に設けられた溝１０５２ｇ内に嵌入されて保持される。このとき、溝１０５２ｇの壁面が、口出し線１５の外周面の下側の半周に亘って、該外周面と密に接触する。
【００３５】
同様に、第３の口出し線１５は、第３端子部１１０３に接続される。なお、図２においては、理解の容易の観点から、第３の口出し線１５を省略している。第３の口出し線１５の先端に設けられた留め具１６も、第３端子保持壁１０４３の凹部１０４３ａ内に嵌め込まれ、これにより、第３端子保持壁１０４３に取り付けられた第３端子部１１０３と導通接触する。こうして、第３の口出し線１５は、第２端子部１１０２に接続された外部ケーブルを介して、外部機器と電気的に接続される。
【００３６】
また、第３の口出し線１５も、その先端からやや後方側の部分が、第３堰壁１０５３に設けられた溝１０５３ｇ内に嵌入されて保持される。このとき、溝１０５３ｇの壁面が、口出し線１５の外周面の下側の半周に亘って、該外周面と密に接触する。
【００３７】
次に、図１〜図３を参照して、本実施形態に係る端子台１００の機能について説明する。図１に示すように、巻線１３にワニスを含浸させる作業は、モータ１０の中心軸Ｏの周りにモータ１０を回転させつつ、ワニス塗布用のノズル１７を用いて、巻線１３のコイル端１３ｅにワニスＷを滴下することによって行われる。
【００３８】
このようにワニスＷを巻線１３に滴下すると、滴下されたワニスの一部が、コイル端１３ｅから、端子台取付部１４の壁面１４ａを伝って、底壁１０２の端部１０２ａへ到達し、端子台１００の内部へ流入する場合がある。または、滴下されたワニスの一部が、コイル端１３ｅから、口出し線１５を伝って、端子台１００の内部へ流入する場合がある。
【００３９】
ワニスＷが端子台１００の内部へ流入した状態を、図３に示す。図３においては、ワニスＷ１が、第１端子部１１０１に接続された第１の口出し線１５を伝って、端子台１００の内部に流入している。一方、ワニスＷ２は、底壁１０２と第２側壁１０３２とが接続する端縁に沿って、端子台１００の内部に流入している。
【００４０】
ここで、本実施形態に係る端子台１００は、端子部１１０よりもコイル端１３ｅに近い位置に配置され、且つ、底壁１０２および側壁１０３に隙間なく一体に形成される堰壁１０５を備えている。この堰壁１０５によって、コイル端１３ｅから端子台１００の内部に流入したワニスＷを、端子部１１０に到達する前に堰き止めることができる。
【００４１】
具体的には、第１の口出し線１５を伝って流入したワニスＷ１は、第１堰壁１０５１によって堰き止められる。上記したように、第１堰壁１０５１に設けられた溝１０５１ｇの壁面は、口出し線１５の外周面の半径と同じ、またはやや小さい半径を有する円周面を含み、口出し線１５の外周面と密に接触している。したがって、第１の口出し線１５を伝って流入したワニスＷ１は、溝１０５１ｇ内に入り込むことができず、これにより、第１堰壁１０５１の後端面１０５１ｂの位置で、堰き止められることになる。
【００４２】
一方、底壁１０２を伝って流入したワニスＷ２は、第２堰壁１０５２によって堰き止められる。上記したように、堰壁１０５は、底壁１０２および側壁１０３に隙間なく一体に形成されているので、ワニスＷ２を、第２堰壁１０５２によって確実に堰き止めることができる。
【００４３】
このように、本実施形態によれば、コイル端１３ｅから端子台１００の内部に流入したワニスＷを、端子部１１０に到達する前に、堰壁１０５によって確実に堰き止めることができる。これにより、ワニスＷが端子部１１０の螺子部１１０２ａ、１１０３ａに入り込んでしまうのを防止することができるので、口出し線１５と外部ケーブルとを確実に導通させることができるとともに、ワニスＷによって外部ケーブルを端子部１１０の螺子部に挿入する作業が阻害されてしまうのを防止することができる。
【００４４】
また、本実施形態によれば、口出し線１５を端子台１００に接続する場合に、溝１０５１ｇ、１０５２ｇ、１０５３ｇに嵌め込むだけで、口出し線１５を容易且つ安定して端子台１００に接続することができる。なお、このように、上方に向かって開口する溝１０５１ｇ、１０５２ｇ、１０５３ｇによって、口出し線１５の下側の半周部分のみを保持する構成であっても、ワニスＷを堰き止めることができる。
【００４５】
これついて、以下に説明する。上記したように、端子台１００が端子台取付部１４に固定された状態においては、底壁１０２が、コイル端１３ｅの近傍に配置される。したがって、コイル端１３ｅから端子台１００に流入するワニスＷの多くは、図３に示すワニスＷ２のように、底壁１０２を伝って流入する。
【００４６】
また、口出し線１５を伝って端子台１００に流入するワニスＷ１に関しても、より底壁１０２に近い側を伝って流入する傾向がある。このため、本実施形態のように、上方に向かって開口している溝１０５１ｇ、１０５２ｇ、１０５３ｇによって、口出し線１５の下側部分を保持する場合においても、堰壁１０５が、底壁１０２と口出し線１５との間においてワニスＷを確実に堰き止めることができるので、ワニスＷが端子部１１０へ到達するのを、高い確率で防止することができるのである。
【００４７】
また、本実施形態によれば、堰壁１０５は、口出し線１５の直径の０．５倍以上のｘ軸方向長さを有する。これにより、口出し線１５を伝って流入したワニスＷ１を、堰壁１０５によって、より確実に堰き止めることができる。具体的に述べると、仮に、ワニスＷ１の一部が溝１０５１ｇ内に浸入したとしても、ワニスＷが溝１０５１ｇ内を前方へ移動して第１堰壁１０５１の前端面１０５１ｃに至るまでの経路が、実質的に長くなる。このため、ワニスＷ１が前端面１０５１ｃに至ることが困難となるので、ワニスＷ１を溝１０５１ｇ内で確実に堰き止めることができる。
【００４８】
次に、図４を参照して、本発明の他の実施形態に係る端子台２００について説明する。なお、上記した実施形態と同様の部材には同じ符号を付し、詳細な説明を省略する。本実施形態に係る端子台２００は、ハウジング２０１と、ハウジング２０１に取付けられた端子部１１０とを備える。ハウジング２０１は、底壁１０２と、第１側壁１０３１、第２側壁１０３２、第３側壁１０３３、および第４側壁１０３４を含む側壁１０３と、端子保持壁１０４と、本実施形態に係る堰壁２０５とを有する。
【００４９】
堰壁２０５は、底壁１０２および側壁１０３に隙間なく一体に形成されている。具体的には、堰壁２０５は、第１側壁１０３１と第２側壁１０３２との間で延在する複数の第１堰壁２０５１と、第２側壁１０３２と第３側壁１０３３との間で延在する複数の第２堰壁２０５２と、第３側壁１０３３と第４側壁１０３４との間で延在する複数の第３堰壁２０５３とを含む。
【００５０】
以下、図４（ｂ）を参照して、第３堰壁２０５３の構成について説明する。本実施形態においては、計３個の第３堰壁２０５３が、ｘ軸方向に互いに離隔して略等間隔で整列するように形成されている。第３堰壁２０５３の各々は、その上端面２０５３ａから内方に凹むように形成された溝２０５３ｇを有する。
【００５１】
上記した実施形態と同様に、溝２０５３ｇは、第３堰壁２０５３の後端面２０５３ｂから前端面２０５３ｃまでｘ軸に沿って延在し、口出し線１５の外周面に相当する壁面を有している。第３堰壁２０５３の各々は、上記した実施形態に係る堰壁１０５１、１０５２、および１０５３の各々よりも、短いｘ軸方向長さを有している。なお、第１堰壁２０５１および第２堰壁２０５２も、第３堰壁２０５３と同様の形状を有するので、詳細な説明を省略する。
【００５２】
本実施形態によれば、端子台２００の内部に流入したワニスを、堰壁２０５によって、より効果的に堰き止めることができる。具体的に述べると、仮に、口出し線１５または底壁１０２を伝って端子台２００の内部に流入したワニスＷが、最も後方側（すなわち、図４の紙面手前側）に位置する第３堰壁２０５３の溝２０５３ｇ内に浸入し、この第３堰壁２０５３の前端面２０５３ｃまで到達し、溝２０５３ｇ内から前方側の外部へと流出したとする。
【００５３】
ここで、ｘ軸方向に隣り合う第３堰壁２０５３の間には、予め定められたｘ軸方向距離を有する隙間が形成されている。このため、仮に、ワニスＷが１つの第３堰壁２０５３を通過したとしても、このワニスＷは、ｘ軸方向に隣り合う第３堰壁２０５３の間の空間に溜められることになる。
【００５４】
このように、本実施形態によれば、ｘ軸方向に隣り合う堰壁２０５の間の空間があることによって、ワニスＷが、最も後方側に位置する堰壁２０５から、最も前方側に位置する堰壁２０５に至るまでの経路を、大幅に長くすることができ、且つ、この空間が、ワニスＷの流れを滞らせるための「溜まり」として機能する。これにより、ワニスＷを堰壁２０５によって、より確実に堰き止めることができる。
【００５５】
次に、図５を参照して、本発明のさらに他の実施形態に係る端子台３００について説明する。なお、上記した実施形態と同様の部材には同じ符号を付し、詳細な説明を省略する。本実施形態に係る端子台３００は、ハウジング３０１と、ハウジング３０１に取付けられた端子部１１０とを備える。ハウジング３０１は、底壁１０２と、第１側壁１０３１、第２側壁１０３２、第３側壁１０３３、および第４側壁１０３４を含む側壁１０３と、端子保持壁１０４と、本実施形態に係る堰壁３０５とを有する。
【００５６】
堰壁３０５は、底壁１０２および側壁１０３に隙間なく一体に形成されている。具体的には、堰壁３０５は、第１側壁１０３１と第２側壁１０３２との間で延在する第１堰壁３０５１と、第２側壁１０３２と第３側壁１０３３との間で延在する第２堰壁３０５２と、第３側壁１０３３と第４側壁１０３４との間で延在する複数の第３堰壁３０５３とを含む。
【００５７】
以下、図５（ｂ）を参照して、第３堰壁３０５３の構成について説明する。本実施形態においては、第３堰壁３０５３は、その上端面３０５３ａから内方に凹むように形成された溝３０５３ｇを有する。上記した実施形態と同様に、溝３０５３ｇは、第３堰壁３０５３の後端面３０５３ｂから前端面３０５３ｃまでｘ軸に沿って延在し、口出し線１５の外周面に相当する壁面を有している。
【００５８】
ここで、本実施形態においては、溝３０５３ｇの壁面から内方に凹む凹部３０５３ｒが、ｘ軸方向に互いに離隔して配列するように複数形成されている。凹部３０５３ｒの各々は、溝３０５３ｇの壁面の周囲に亘って延びている。本実施形態においては、計３個の凹部３０５３ｒが、ｘ軸方向に等間隔で配列するように形成されている。
【００５９】
また、第３堰壁３０５３の後端面３０５３ｂには、後端面３０５３ｂから内方へ凹む（前端面３０５３ｃまで貫通しない）複数の穴３０５３ｈが形成されている。なお、第１堰壁３０５１および第２堰壁３０５２も、第３堰壁３０５３と同様の形状を有するので、詳細な説明を省略する。
【００６０】
本実施形態によれば、端子台３００の内部に流入したワニスを、堰壁３０５によって、より効果的に堰き止めることができる。具体的に述べると、仮に、端子台３００内に流入したワニスＷの一部が第３堰壁３０５３の溝３０５３ｇ内に浸入したとする。
【００６１】
この場合、浸入したワニスＷは、溝３０５３ｇ内を前方へ移動して第３堰壁３０５３の前端面３０５３ｃに至るまでに、計３個の凹部３０５３ｒを通過することになる。この凹部３０５３ｒがあることによって、ワニスＷが溝３０５３ｇ内を通過する経路が実質的に長くなるとともに、凹部３０５３ｒの各々が、ワニスＷの流れを滞らせるための「溜まり」として機能する。このため、ワニスＷが前端面３０５３ｃに至ることが困難となるので、ワニスＷを溝３０５３ｇ内で確実に堰き止めることができる。
【００６２】
さらに、第３堰壁３０５３の後端面３０５３ｂに形成された穴３０５３ｈも、後端面３０５３ｂを伝うワニスＷの経路を実質的に長くすることができ、且つ、穴３０５３ｈの各々が、ワニスＷの流れを滞らせるための「溜まり」として機能する。これにより、ワニスＷが前端面３０５３ｃに至ることがさらに困難となるので、ワニスＷをより確実に堰き止めることができる。
【００６３】
次に、図６を参照して、本発明のさらに他の実施形態に係る端子台４００について説明する。なお、上記した実施形態と同様の部材には同じ符号を付し、詳細な説明を省略する。本実施形態に係る端子台４００は、ハウジング４０１と、ハウジング４０１に取付けられた端子部１１０とを備える。ハウジング４０１は、底壁１０２と、第１側壁１０３１、第２側壁１０３２、第３側壁１０３３、および第４側壁１０３４を含む側壁１０３と、端子保持壁１０４と、本実施形態に係る堰壁４０５とを有する。
【００６４】
堰壁４０５は、底壁１０２および側壁１０３に隙間なく一体に形成されている。具体的には、堰壁４０５は、第１側壁１０３１と第２側壁１０３２との間で延在する第１堰壁４０５１と、第２側壁１０３２と第３側壁１０３３との間で延在する第２堰壁４０５２と、第３側壁１０３３と第４側壁１０３４との間で延在する複数の第３堰壁４０５３とを含む。第１堰壁４０５１、第２堰壁４０５２、および第３堰壁４０５３は、図２に示す実施形態と同様に、それぞれ、溝４０５１ｇ、溝４０５２ｇ、および溝４０５３ｇを含む。
【００６５】
ここで、本実施形態に係る堰壁４０５の各々は、ワニスＷを吸収可能な多孔性材料によって構成されている。例えば、堰壁４０５の各々は、発泡ウレタンによって構成される。このように、本実施形態に係るハウジング４０１は、２つの異なる材料から構成されている。このようなハウジング４０１は、例えば、底壁１０２、側壁１０３、および端子保持壁１０４を構成する樹脂材料と、堰壁４０５を構成する発泡ウレタンとを含む二色成形によって、作製され得る。
【００６６】
本実施形態によれば、堰壁４０５を伝って流れるワニスＷを、多孔性材料によって吸収することができるので、端子台４００の内部に流入したワニスを、堰壁４０５によって、より効果的に堰き止めることができる。
【００６７】
なお、上記した実施形態においては、口出し線保持部として、口出し線の外周面の下側の半周に亘って該外周面と接触する溝部を形成する場合について述べた。しかしながら、これに限らず、口出し線保持部は、口出し線の外周面の全周囲を囲むように該外周面と接触する、堰壁に形成された貫通孔を含んでもよい。
【００６８】
また、図５に示す実施形態においては、溝の壁面の周囲に亘って延びる凹部を形成する場合について述べた。しかしながら、これに限らず、例えば、溝の壁面から内方に凹む複数の穴を形成してもよい。また、凹部のみならず、溝の壁面から外方に突出する凸部を形成することによって、ワニスが溝内を通過する経路を実質的に長くしてもよい。
【００６９】
また、図６に示す実施形態においては、堰壁を、ワニスを吸収可能な多孔性材料によって構成する場合について述べた。しかしながら、これに限らず、例えば堰壁の表面に多孔性材料を被覆させてもよい。このように、ワニスが通過する経路を実質的に長くするという観点からは、堰壁は、ワニスを吸収可能な多孔性材料を少なくとも表面に含んでいればよい。
【００７０】
以上、発明の実施形態を通じて本発明を説明したが、上述の実施形態は、特許請求の範囲に係る発明を限定するものではない。また、実施形態の中で説明されている特徴の組み合わせの全てが、発明の解決手段に必須であるとは限らない。さらに、上述の実施形態に、多様な変更または改良を加えることが可能であることが当業者に明らかである。その様な変更または改良を加えた形態も本発明の技術的範囲に含まれ得ることが、特許請求の範囲の記載から明らかである。
【符号の説明】
【００７１】
１０    モータ
１２    固定子
１３    巻線
１５    口出し線
１００，２００，３００，４００    端子台
１０２    底壁
１０３    側壁
１０５，２０５，３０５，４０５    堰壁
１１０    端子部
【図１】
2015033169.tif 000003
【図２】
2015033169.tif 000004
【図３】
2015033169.tif 000005
【図４】
2015033169.tif 000006
【図５】
2015033169.tif 000007
【図６】
2015033169.tif 000008